(57)【要約】【課題】コンテンツの一部のみを視聴する場合においても、より最適な検索条件を抽出することができる。【解決手段】表示装置が保持する識別情報を取得する識別情報取得部と、前記識別情報を保持する前記表示装置で視聴したコンテンツの履歴を示す視聴履歴情報を取得する視聴履歴情報取得部と、前記視聴履歴情報取得部が取得した前記視聴履歴情報と、前記コンテンツを構成するコーナー毎に前記コンテンツの内容を記述したコンテンツ内容情報とを参照し、前記識別情報取得部が取得した前記識別情報を保持する前記表示装置で視聴した前記コンテンツを構成するコーナーの内容に関連する検索条件を抽出する抽出部と、を備えることを特徴とする情報処理装置。【選択図】図４
2015143947.tif 000002
【特許請求の範囲】
【請求項１】
表示装置が保持する識別情報を取得する識別情報取得部と、
前記識別情報を保持する前記表示装置で視聴したコンテンツの履歴を示す視聴履歴情報を取得する視聴履歴情報取得部と、
前記視聴履歴情報取得部が取得した前記視聴履歴情報と、前記コンテンツを構成するコーナー毎に前記コンテンツの内容を記述したコンテンツ内容情報とを参照し、前記識別情報取得部が取得した前記識別情報を保持する前記表示装置で視聴した前記コンテンツを構成するコーナーの内容に関連する検索条件を抽出する抽出部と、
を備えることを特徴とする情報処理装置。
【請求項２】
前記抽出部が抽出した前記検索条件に基づいて、前記識別情報取得部が取得した前記識別情報を保持する前記表示装置に対して配信する第２のコンテンツを選択する選択部
を備えることを特徴とする請求項１に記載の情報処理装置。
【請求項３】
前記抽出部は、前記識別情報取得部が取得した前記識別情報を保持する前記表示装置で視聴した前記コンテンツの前記コンテンツ内容情報に出現する頻度が高い語句を前記検索条件として抽出する
ことを特徴とする請求項１または請求項２に記載の情報処理装置。
【請求項４】
前記抽出部は、前記視聴した時間が長い前記コンテンツほど前記コンテンツ内容情報に出現する語句の重み付けを高くし、前記視聴した時間が短い前記コンテンツほど前記コンテンツ内容情報に出現する語句の重み付けを低くして前記検索条件を抽出する
ことを特徴とする請求項３に記載の情報処理装置。
【請求項５】
前記抽出部は、前記識別情報取得部が取得した前記識別情報を保持する前記表示装置で視聴した前記コンテンツの前記コンテンツ内容情報に出現する頻度が高い語句のうち、前記識別情報取得部が取得した前記識別情報とは異なる前記識別情報を保持する前記表示装置で視聴した前記コンテンツの前記コンテンツ内容情報に出現する頻度が低い語句を、前記検索条件として抽出する
ことを特徴とする請求項３に記載の情報処理装置。
【請求項６】
前記抽出部は、前記視聴した時間が一定時間以上の前記コンテンツの前記コンテンツ内容情報を用いて前記検索条件を抽出する
ことを特徴とする請求項１から請求項５のいずれか１項に記載の情報処理装置。
【請求項７】
前記表示装置が保持する識別情報は、当該表示装置固有の識別情報である
ことを特徴とする請求項１から請求項６のいずれか１項に記載の情報処理装置。
【請求項８】
前記表示装置が保持する識別情報は、当該表示装置を使用するユーザを識別する識別情報である
ことを特徴とする請求項１から請求項６のいずれか１項に記載の情報処理装置。
【請求項９】
表示装置が保持する識別情報を取得する識別情報取得ステップと、
前記識別情報を保持する前記表示装置で視聴したコンテンツの履歴を示す視聴履歴情報を取得する視聴履歴情報取得ステップと、
前記視聴履歴情報取得ステップで取得した前記視聴履歴情報と、前記コンテンツを構成するコーナー毎に前記コンテンツの内容を記述したコンテンツ内容情報とを参照し、前記識別情報取得ステップで取得した前記識別情報を保持する前記表示装置で視聴した前記コンテンツを構成するコーナーの内容に関連する検索条件を抽出する抽出ステップと、
を含むことを特徴とする情報処理方法。
【請求項１０】
表示装置が保持する識別情報を取得する識別情報取得ステップと、
前記識別情報を保持する前記表示装置で視聴したコンテンツの履歴を示す視聴履歴情報を取得する視聴履歴情報取得ステップと、
前記視聴履歴情報取得ステップで取得した前記視聴履歴情報と、前記コンテンツを構成するコーナー毎に前記コンテンツの内容を記述したコンテンツ内容情報とを参照し、前記識別情報取得ステップで取得した前記識別情報を保持する前記表示装置で視聴した前記コンテンツを構成するコーナーの内容に関連する検索条件を抽出する抽出ステップと、
をコンピュータに実行させるためのプログラム。
【請求項１１】
コンテンツを表示する表示部と、
識別情報を記憶する識別情報記憶部と、
前記表示部が表示する前記コンテンツを視聴した履歴と、前記識別情報とを含む視聴履歴情報を送信する視聴履歴送信部と、
前記識別情報記憶部が記憶する前記識別情報を送信する識別情報送信部と、
を備えた表示装置と、
前記視聴履歴送信部が送信した前記視聴履歴情報を受信するサーバ受信部と、
前記サーバ受信部が受信した前記視聴履歴情報を記憶する視聴履歴記憶部と、
前記視聴履歴記憶部が記憶する前記視聴履歴情報を送信するサーバ送信部と、
を備えた視聴履歴情報サーバ装置と、
前記表示装置から送信される前記識別情報を取得する識別情報取得部と、
前記視聴履歴情報サーバ装置から送信される前記視聴履歴情報を取得する視聴履歴情報取得部と、
前記視聴履歴情報取得部が取得した前記視聴履歴情報と、前記コンテンツを構成するコーナー毎に前記コンテンツの内容を記述したコンテンツ内容情報とを参照し、前記識別情報取得部が取得した前記識別情報を保持する前記表示装置で視聴した前記コンテンツを構成するコーナーの内容に関連する検索条件を抽出する抽出部と、
を備える情報処理装置と、
を含むことを特徴とする情報処理システム。
【請求項１２】
コンテンツを表示する表示部と、
識別情報を記憶する識別情報記憶部と、
前記表示部が表示する前記コンテンツを視聴した履歴と、前記識別情報とを含む視聴履歴情報を送信する視聴履歴送信部と、
前記識別情報記憶部が記憶する前記識別情報を送信する識別情報送信部と、
前記視聴履歴情報と、前記コンテンツを構成するコーナー毎に前記コンテンツの内容を記述したコンテンツ内容情報とを参照して抽出された、自装置で視聴された前記コンテンツを構成するコーナーの内容に関連する検索条件に基づいて選択された第２のコンテンツを受信する受信部と、
を備え、
前記表示部は、前記受信部が受信した前記第２のコンテンツを表示する
ことを特徴とする表示装置。
【請求項１３】
前記表示部は、前記受信部が前記第２のコンテンツを受信してから所定の時間が経過した後、前記第２のコンテンツの表示を消去する
ことを特徴とする請求項１２に記載の表示装置。
【発明の詳細な説明】
【技術分野】
【０００１】
本発明は、情報処理装置、情報処理方法、プログラム、情報処理システムおよび表示装置に関する。
【背景技術】
【０００２】
ユーザが視聴したコンテンツに関連する広告情報を、当該ユーザに対して提示するサーバがある（例えば、特許文献１参照）。また、閲覧記録等の個人情報を端末から外部へ送信することなく広告とのマッチングを行い、ユーザの興味や関心に合わせた広告を配信する広告配信システムがある（例えば、特許文献２参照）。
【先行技術文献】
【特許文献】
【０００３】
【特許文献１】特開２００３−３３１１８３号公報
【特許文献２】特開２０１０−５５５９７号公報
【発明の概要】
【発明が解決しようとする課題】
【０００４】
しかしながら、従来知られている内容は、ユーザが視聴したコンテンツ全体に関連する広告情報を配信するものである。例えば、ある１つのコンテンツの中でも好きなコーナーがあり、好きなコーナーは視聴するが、他のコーナーは視聴しないというユーザも存在する。そのため、ユーザが視聴したコンテンツ全体に関連する広告情報を配信しても、一部のコーナーのみを視聴するユーザには最適な広告を配信することができないという問題がある。
【０００５】
本発明は上記の点に鑑みてなされたものであり、コンテンツの一部のみを視聴する場合においても、より最適な検索条件を抽出することができる情報処理装置、情報処理方法、プログラム、情報処理システムおよび表示装置を提供することを課題とする。
【課題を解決するための手段】
【０００６】
（１）本発明は上記の課題を解決するためになされたものであり、本発明の一態様は、表示装置が保持する識別情報を取得する識別情報取得部と、前記識別情報を保持する前記表示装置で視聴したコンテンツの履歴を示す視聴履歴情報を取得する視聴履歴情報取得部と、前記視聴履歴情報取得部が取得した前記視聴履歴情報と、前記コンテンツを構成するコーナー毎に前記コンテンツの内容を記述したコンテンツ内容情報とを参照し、前記識別情報取得部が取得した前記識別情報を保持する前記表示装置で視聴した前記コンテンツを構成するコーナーの内容に関連する検索条件を抽出する抽出部と、を備えることを特徴とする情報処理装置である。
【０００７】
（２）また、本発明の一態様は、前記抽出部が抽出した前記検索条件に基づいて、前記識別情報取得部が取得した前記識別情報を保持する前記表示装置に対して配信する第２のコンテンツを選択する選択部を備えることを特徴とする情報処理装置である。
【０００８】
（３）また、本発明の一態様は、情報処理装置であって、前記抽出部は、前記識別情報取得部が取得した前記識別情報を保持する前記表示装置で視聴した前記コンテンツの前記コンテンツ内容情報に出現する頻度が高い語句を前記検索条件として抽出することを特徴とする。
【０００９】
（４）また、本発明の一態様は、情報処理装置であって、前記抽出部は、前記視聴した時間が長い前記コンテンツほど前記コンテンツ内容情報に出現する語句の重み付けを高くし、前記視聴した時間が短い前記コンテンツほど前記コンテンツ内容情報に出現する語句の重み付けを低くして前記検索条件を抽出することを特徴とする。
【００１０】
（５）また、本発明の一態様は、情報処理装置であって、前記抽出部は、前記識別情報取得部が取得した前記識別情報を保持する前記表示装置で視聴した前記コンテンツの前記コンテンツ内容情報に出現する頻度が高い語句のうち、前記識別情報取得部が取得した前記識別情報とは異なる前記識別情報を保持する前記表示装置で視聴した前記コンテンツの前記コンテンツ内容情報に出現する頻度が低い語句を、前記検索条件として抽出することを特徴とする。
【００１１】
（６）また、本発明の一態様は、情報処理装置であって、前記抽出部は、前記視聴した時間が一定時間以上の前記コンテンツの前記コンテンツ内容情報を用いて前記検索条件を抽出することを特徴とする。
【００１２】
（７）また、本発明の一態様は、情報処理装置であって、前記表示装置が保持する識別情報は、当該表示装置固有の識別情報であることを特徴とする。
【００１３】
（８）また、本発明の一態様は、情報処理装置であって、前記表示装置が保持する識別情報は、当該表示装置を使用するユーザを識別する識別情報であることを特徴とする。
【００１４】
（９）また、本発明の一態様は、表示装置が保持する識別情報を取得する識別情報取得ステップと、前記識別情報を保持する前記表示装置で視聴したコンテンツの履歴を示す視聴履歴情報を取得する視聴履歴情報取得ステップと、前記視聴履歴情報取得ステップで取得した前記視聴履歴情報と、前記コンテンツを構成するコーナー毎に前記コンテンツの内容を記述したコンテンツ内容情報とを参照し、前記識別情報取得ステップで取得した前記識別情報を保持する前記表示装置で視聴した前記コンテンツを構成するコーナーの内容に関連する検索条件を抽出する抽出ステップと、を含むことを特徴とする情報処理方法である。
【００１５】
（１０）また、本発明の一態様は、表示装置が保持する識別情報を取得する識別情報取得ステップと、前記識別情報を保持する前記表示装置で視聴したコンテンツの履歴を示す視聴履歴情報を取得する視聴履歴情報取得ステップと、前記視聴履歴情報取得ステップで取得した前記視聴履歴情報と、前記コンテンツを構成するコーナー毎に前記コンテンツの内容を記述したコンテンツ内容情報とを参照し、前記識別情報取得ステップで取得した前記識別情報を保持する前記表示装置で視聴した前記コンテンツを構成するコーナーの内容に関連する検索条件を抽出する抽出ステップと、をコンピュータに実行させるためのプログラムである。
【００１６】
（１１）また、本発明の一態様は、コンテンツを表示する表示部と、識別情報を記憶する識別情報記憶部と、前記表示部が表示する前記コンテンツを視聴した履歴と、前記識別情報とを含む視聴履歴情報を送信する視聴履歴送信部と、前記識別情報記憶部が記憶する前記識別情報を送信する識別情報送信部と、を備えた表示装置と、前記視聴履歴送信部が送信した前記視聴履歴情報を受信するサーバ受信部と、前記サーバ受信部が受信した前記視聴履歴情報を記憶する視聴履歴記憶部と、前記記憶部が記憶する前記視聴履歴情報を送信するサーバ送信部と、を備えた視聴履歴情報サーバ装置と、前記表示装置から送信される前記識別情報を取得する識別情報取得部と、前記視聴履歴情報サーバ装置から送信される前記視聴履歴情報を取得する視聴履歴情報取得部と、前記視聴履歴情報取得部が取得した前記視聴履歴情報と、前記コンテンツを構成するコーナー毎に前記コンテンツの内容を記述したコンテンツ内容情報とを参照し、前記識別情報取得部が取得した前記識別情報を保持する前記表示装置で視聴した前記コンテンツを構成するコーナーの内容に関連する検索条件を抽出する抽出部と、を備える情報処理装置と、を含むことを特徴とする情報処理システムである。
【００１７】
（１２）また、本発明の一態様は、コンテンツを表示する表示部と、識別情報を記憶する識別情報記憶部と、前記表示部が表示する前記コンテンツを視聴した履歴と、前記識別情報とを含む視聴履歴情報を送信する視聴履歴送信部と、前記識別情報記憶部が記憶する前記識別情報を送信する識別情報送信部と、前記視聴履歴情報と、前記コンテンツを構成するコーナー毎に前記コンテンツの内容を記述したコンテンツ内容情報とを参照して抽出された、自装置で視聴された前記コンテンツを構成するコーナーの内容に関連する検索条件に基づいて選択された第２のコンテンツを受信する受信部と、を備え、前記表示部は、前記受信部が受信した前記第２のコンテンツを表示することを特徴とする表示装置である。
【００１８】
（１３）また、本発明の一態様は、表示装置であって、前記表示部は、前記受信部が前記第２のコンテンツを受信してから所定の時間が経過した後、前記第２のコンテンツの表示を消去することを特徴とする。
【発明の効果】
【００１９】
本発明の情報処理装置、情報処理方法、プログラム、情報処理システムおよび表示装置によれば、コンテンツの一部のみを視聴する場合においても、より最適な検索条件を抽出することができる。
【図面の簡単な説明】
【００２０】
【図１】第１の実施形態に係る情報処理システムの一例を示す概略図である。
【図２】第１の実施形態に係る表示装置の機能構成の一例を示したブロック図である。
【図３】第１の実施形態に係る視聴履歴情報サーバ装置の機能構成の一例を示したブロック図である。
【図４】第１の実施形態に係る情報処理装置の機能構成の一例を示したブロック図である。
【図５】第１の実施形態に係る視聴履歴データベースの一例を示した概略図である。
【図６】第１の実施形態に係るコンテンツ内容情報データベースが記憶する１つのコーナーのコンテンツ内容情報の一例を示した概略図である。
【図７】第１の実施形態に係る抽出キーワードデータベースの一例を示した概略図である。
【図８】第１の実施形態に係る情報処理装置の動作手順を示したフローチャートである。
【図９】第２の実施形態に係る、識別情報毎に抽出したキーワードの一例を示した概略図である。
【図１０】第２の実施形態に係る表示装置で特に視聴された放送番組のコーナーに関連するキーワードとして抽出したキーワードの一例を示した概略図である。
【図１１】第３の実施形態に係る表示装置で視聴した放送番組を構成するコーナーの内容に関連するキーワードとして抽出したキーワードの一例を示した概略図である。
【発明を実施するための形態】
【００２１】
（第１の実施形態）
以下、本発明の第１の実施形態について説明する。図１は、本発明の第１の実施形態に係る情報処理システムＳ１の一例を示す概略図である。図示する例では、情報処理システムＳ１は、情報処理装置１と、表示装置２と、視聴履歴情報サーバ装置３と、コンテンツ配信サーバ４と、番組情報提供装置５とを含む。
【００２２】
情報処理装置１と、視聴履歴情報サーバ装置３と、コンテンツ配信サーバ４と、番組情報提供装置５とは、例えば、公知のサーバ機能を備えるサーバ装置である。表示装置２は、例えば、テレビや、パーソナルコンピュータや、携帯電話や、タブレットや、スマートフォンや、ＰＤＡ（Ｐｅｒｓｏｎａｌ  Ｄｉｇｉｔａｌ  Ａｓｓｉｓｔａｎｔ）など、表示部２２を備える装置である。情報処理装置１と、表示装置２と、視聴履歴情報サーバ装置３と、コンテンツ配信サーバ４と、番組情報提供装置５とは、それぞれネットワークＮＷに無線または有線により接続され、互いに通信を行うことができる。
【００２３】
ネットワークＮＷは、例えば、携帯電話網や、ＰＨＳ（Ｐｅｒｓｏｎａｌ  Ｈａｎｄｙ−ｐｈｏｎｅ  Ｓｙｓｔｅｍ）網や、ＶＰＮ（Ｖｉｒｔｕａｌ  Ｐｒｉｖａｔｅ  Ｎｅｔｗｏｒｋ）網や、専用通信回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）や、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）などよって構成される情報通信ネットワークであり、また、これらの組み合わせであってもよい。
【００２４】
情報処理装置１は、識別情報を保持する表示装置２で視聴した放送番組（コンテンツ）の履歴である視聴履歴と、放送番組のコーナー毎に放送番組の内容を記述したコンテンツ内容情報とを参照し、識別情報を保持する表示装置で視聴した放送番組を構成するコーナーの内容に関連するキーワード（検索条件）を抽出する。また、情報処理装置１は、抽出したキーワードに基づいて、表示装置２に対して配信する広告（第２のコンテンツ）を選択する。
【００２５】
表示装置２は、テレビジョン放送を受信し、テレビジョン放送の放送番組を表示部２２に表示する。また、表示装置２は、コンテンツ配信サーバ４から配信される広告を受信し、受信した広告を表示部２２に表示する。また、表示装置２は、表示部２２が表示する放送番組を視聴した履歴と、保持している識別情報とを含む視聴履歴情報を視聴履歴情報サーバ装置３に対して送信する。識別情報は、表示装置２が保持する情報であり、表示装置２を特定する情報である。なお、識別情報は、表示装置２の固有の装置識別情報であってもよい。また、識別情報は、表示装置２を使用するユーザ（使用者）を識別するユーザ識別情報であってもよい。例えば、識別情報が、ユーザ識別情報である場合、ユーザは、表示装置２に対して、自身を識別するユーザ識別情報を設定する。表示装置２は、設定されたユーザ識別情報を、識別情報として記憶する。
【００２６】
なお、以下では、表示装置２が放送番組を表示することを、表示装置２のユーザが当該放送番組を視聴することと読み替える。また、表示装置２を利用し、放送番組を視聴する者を視聴者と称する。
【００２７】
視聴履歴情報サーバ装置３は、視聴履歴データベースを記憶する。視聴履歴データベースは、識別情報を保持する表示装置２で視聴した放送番組の視聴履歴を格納するデータベースである。視聴履歴データベースの詳細は後述する。視聴履歴情報サーバ装置３は、表示装置２から送信される視聴履歴情報を、視聴履歴データベースに格納する。また、視聴履歴情報サーバ装置３は、視聴履歴データベースに格納している視聴履歴情報を、情報処理装置１に対して送信する。コンテンツ配信サーバ４は、情報処理装置１の指示に基づいて、情報処理装置１が選択した広告を表示装置２に対して配信する。
【００２８】
番組情報提供装置５は、コンテンツ内容情報データベースを記憶する。コンテンツ内容情報データベースは、放送番組の各種情報を格納するデータベースである。コンテンツ内容情報データベースの詳細については後述する。番組情報提供装置５は、情報処理装置１に対して、コンテンツ内容情報データベースに格納されているデータを送信する。
【００２９】
次に、表示装置２の構成について説明する。図２は、表示装置２の機能構成の一例を示したブロック図である。図示する例では、表示装置２は、操作入力部２１と、表示部２２と、映像受信部２３と、通信部２４（視聴履歴送信部、識別情報送信部、受信部）と、記憶部２６と、操作処理部２５１と、コンテンツ受信部２５２と、表示制御部２５３とを備える。また、表示装置２は、公知のテレビジョン受信機の機能を有する。
【００３０】
また、表示装置２は、ＣＰＵ（Ｃｅｎｔｒａｌ  Ｐｒｏｃｅｓｓｉｎｇ  Ｕｎｉｔ）や記憶装置を備える。記憶装置は、例えば、ＨＤＤ（Ｈａｒｄ  Ｄｉｓｃ  Ｄｒｉｖｅ）や、フラッシュメモリや、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）や、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）などを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、操作処理部２５１と、コンテンツ受信部２５２と、表示制御部２５３として動作する。
【００３１】
操作入力部２１は、視聴者から、表示装置２に対する操作入力を受け付ける。操作入力部２１は、例えば、テレビのリモコンなどの入力装置を介して、操作入力を受け付ける。表示部２２は、例えば、液晶ディスプレイや有機ＥＬ（Ｅｌｅｃｔｒｏ−Ｌｕｍｉｎｅｓｃｅｎｃｅ）ディスプレイなどの表示装置を備える。表示部２２は、映像受信部２３が受信した放送番組や、コンテンツ受信部２５２がコンテンツ配信サーバ４から受信した広告などを表示する。
【００３２】
映像受信部２３は、テレビチューナーを備え、テレビジョン放送された放送番組を受信する。通信部２４は、通信インターフェースを備え、情報処理装置１や、視聴履歴情報サーバ装置３や、コンテンツ配信サーバ４や、番組情報提供装置５など、他の装置と通信を行う。
【００３３】
操作処理部２５１は、操作入力部２１が受け付けた入力を解析し、入力に応じた処理を実行する。例えば、操作処理部２５１は、操作入力部２１がチャンネルの切り替え操作の入力を受け付けた場合、切り替え後のチャンネルの情報を表示制御部２５３に対して出力する。
【００３４】
また、例えば、操作入力部２１が電源を入れる操作の入力を受け付けた場合、操作処理部２５１は、通信部２４を介して、電源を入れる操作の入力を受け付けた時刻と、現在設定されているチャンネルの情報と、記憶部２６が記憶している識別情報とを視聴履歴情報サーバ装置３に対して送信する。また、例えば、操作入力部２１が電源を切断する操作の入力を受け付けた場合、操作処理部２５１は、通信部２４を介して、電源を切断する操作の入力を受け付けた時刻と、記憶部２６が記憶している識別情報とを視聴履歴情報サーバ装置３に対して送信する。また、例えば、操作入力部２１がチャンネルの切り替え操作の入力を受け付けた場合、操作処理部２５１は、通信部２４を介して、チャンネルの切り替え操作の入力を受け付けた時刻と、切り替え後のチャンネルの情報と、記憶部２６が記憶している識別情報とを視聴履歴情報サーバ装置３に対して送信する。
【００３５】
すなわち、操作処理部２５１は、表示部２２が表示する放送番組を視聴した履歴と、保持している識別情報とを含む視聴履歴情報を、通信部２４を介して、視聴履歴情報サーバ装置３に対して送信する。
【００３６】
表示制御部２５３は、映像受信部２３が受信した放送番組や、コンテンツ受信部２５２が受信した広告などを表示部２２に表示させる。例えば、表示制御部２５３は、操作処理部２５１から切り替え後のチャンネルの情報が入力された場合、表示部２２に表示させる放送番組を、切り替え後のチャンネルの情報に基づいて切り替える。また、例えば、表示制御部２５３は、コンテンツ受信部２５２が広告を受信した場合、表示部２２に広告を表示させる。また、例えば、表示制御部２５３は、表示部２２に広告を表示させてから一定時間経過した後、広告の表示を消去させてもよい。なお、一定時間は予め定められていてもよく、任意に設定できてもよい。
【００３７】
次に、視聴履歴情報サーバ装置３の構成について説明する。図３は、視聴履歴情報サーバ装置３の機能構成の一例を示したブロック図である。図示する例では、視聴履歴情報サーバ装置３は、通信部４１（サーバ受信部、サーバ送信部）と、視聴履歴情報受信制御部４２と、記憶部４３（視聴履歴記憶部）と、視聴履歴情報送信制御部４４とを備える。
【００３８】
また、視聴履歴情報サーバ装置３は、ＣＰＵや記憶装置を備える。記憶装置は、例えば、ＨＤＤや、フラッシュメモリや、ＥＥＰＲＯＭや、ＲＯＭや、ＲＡＭなどを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、視聴履歴情報受信制御部４２と、視聴履歴情報送信制御部４４として動作する。
【００３９】
通信部４１は、通信インターフェースを備え、情報処理装置１や、表示装置２や、コンテンツ配信サーバ４や、番組情報提供装置５など、他の装置と通信を行う。視聴履歴情報受信制御部４２は、表示装置２から送信される視聴履歴情報を、通信部４１を介して受信する。また、視聴履歴情報受信制御部４２は、受信した視聴履歴情報を、記憶部４３が記憶する視聴履歴データベースに格納する。
【００４０】
記憶部４３は、例えばＨＤＤを備え、視聴履歴データベースを記憶する。視聴履歴情報送信制御部４４は、通信部４１を介して、記憶部４３の視聴履歴データベースが格納している視聴履歴情報を情報処理装置１に対して送信する。
【００４１】
次に、情報処理装置１の構成について説明する。図４は、情報処理装置１の機能構成の一例を示したブロック図である。図示する例では、情報処理装置１は、記憶部１１と、通信部１２と、識別情報取得部１３と、視聴履歴情報取得部１４と、番組情報取得部１５と、抽出部１６と、選択部１７とを備える。
【００４２】
また、情報処理装置１は、ＣＰＵや記憶装置を備える。記憶装置は、例えば、ＨＤＤや、フラッシュメモリや、ＥＥＰＲＯＭや、ＲＯＭや、ＲＡＭなどを備え、ファームウェアやアプリケーションプログラムなど、ＣＰＵが実行するための各種プログラムやＣＰＵが実行した処理の結果などを記憶する。例えば、ＣＰＵは、記憶装置に記憶されているプログラムを実行することによって、識別情報取得部１３と、視聴履歴情報取得部１４と、番組情報取得部１５と、抽出部１６と、選択部１７として動作する。
【００４３】
記憶部１１は、例えば、ＨＤＤや、フラッシュメモリや、ＥＥＰＲＯＭや、ＲＯＭや、ＲＡＭなどを備え、情報処理装置１が備える各部が用いるデータを記憶する。また、記憶部１１は、抽出キーワードデータベースを記憶する。抽出キーワードデータベースの詳細については後述する。
【００４４】
通信部１２は、通信インターフェースを備え、表示装置２や、視聴履歴情報サーバ装置３や、コンテンツ配信サーバ４や、番組情報提供装置５など、他の装置と通信を行う。識別情報取得部１３は、通信部１２を介して、表示装置２から識別情報を取得する。視聴履歴情報取得部１４は、通信部１２を介して、視聴履歴情報サーバ装置３から視聴履歴情報を取得する。番組情報取得部１５は、通信部１２を介して、番組情報提供装置５からコンテンツ内容情報を取得する。
【００４５】
抽出部１６は、視聴履歴情報取得部１４が取得した視聴履歴情報と、番組情報取得部１５が取得したコンテンツ内容情報とを参照し、識別情報取得部１３が取得した識別情報を保持する表示装置２で視聴した放送番組を構成するコーナーの内容に関連するキーワード（検索条件）を抽出する。また、抽出部１６は、抽出したキーワードを識別情報と関連付けて抽出キーワードデータベースに格納する。なお、キーワードの抽出方法については後述する。
【００４６】
選択部１７は、抽出キーワードデータベースに格納されている識別情報のキーワードに基づいて、識別情報を保持している表示装置２に対して配信する広告を選択する。なお、配信する広告の選択方法については後述する。また、選択部１７は、通信部１２を介して、選択した種類の広告を配信させる配信指示を、コンテンツ配信サーバ４に対して送信する。
【００４７】
次に、視聴履歴情報サーバ装置３の記憶部４３が記憶している視聴履歴データベースについて説明する。図５は、視聴履歴データベースの一例を示した概略図である。視聴履歴データベースは、「識別情報」と、「視聴開始時刻」と、「視聴終了時刻」と、「放送局情報」とのデータ項目を有しており、各データ項目のデータを行毎に対応付けて格納している。
【００４８】
データ項目「識別情報」は、表示装置２を特定する識別情報を格納する。データ項目「視聴開始時刻」は、放送番組の視聴を開始した時刻を格納する。データ項目「視聴終了時刻」は、放送番組の視聴を終了した時刻を格納する。データ項目「放送局情報」は、視聴した放送番組を放映している放送局を識別する放送局ＩＤを格納する。
【００４９】
図示する例では、行１０１のデータ項目「識別情報」に記憶されている値が「０ＥＢＥ４２Ｃ０」であり、データ項目「視聴開始時刻」に記憶されている値が「２０１３−０６−１４Ｔ０２：５１：３３」であり、データ項目「視聴終了時刻」に記憶されている値が「２０１３−０６−１４Ｔ０２：５２：５０」であり、データ項目「放送局情報」に記憶されている値が「１０２４」である。これは、識別情報「０ＥＢＥ４２Ｃ０」で特定される表示装置２を使用するユーザは、「２０１３年６月１４日２時５１分３３秒」から「２０１３年６月１４日２時５２分５０秒」まで、放送局ＩＤ「１０２４」で特定される放送局が放映した放送番組を視聴したことを示している。なお、その他の行については図示するとおりである。
【００５０】
次に、番組情報提供装置５が記憶しているコンテンツ内容情報データベースについて説明する。図６は、コンテンツ内容情報データベースが記憶する１つのコーナーのコンテンツ内容情報の一例を示した概略図である。コンテンツ内容情報データベースは、放送番組を構成するコーナー毎に、ＸＭＬ形式でコンテンツ内容情報を記憶している。
【００５１】
コンテンツ内容情報は、例えばデータ項目として、「？ｘｍｌ  ｖｅｒｓｉｏｎ」と、「ｅｎｃｏｄｉｎｇ」と、「ｐｒｏｇｒａｍ  ｅｎｄ」と、「ｓｔａｒｔ」と、「ｓｔａｔｉｏｎ」と、「ｔｉｔｌｅ」と、「ｃｏｒｎｅｒ  ｎａｍｅ」と、「ｔｏｐｉｃ  ｎａｍｅ」と、「ｃｏｎｔｅｘｔ」と、「ｅｎｄ」と、「ｓｔａｒｔ」と、「ｗｏｒｄ」とを有している。データ項目「？ｘｍｌ  ｖｅｒｓｉｏｎ」は、ｘｍｌのバージョンを格納する。データ項目「ｅｎｃｏｄｉｎｇ」は、文字符号化方式を格納する。データ項目「ｐｒｏｇｒａｍ  ｅｎｄ」は、放送番組の放送終了時刻を格納する。データ項目「ｓｔａｒｔ」は、放送番組の放送開始時刻を格納する。データ項目「ｓｔａｔｉｏｎ」は、放送番組を放映している放送局名を格納する。データ項目「ｔｉｔｌｅ」は、放送番組名を格納する。データ項目「ｃｏｒｎｅｒ  ｎａｍｅ」は、コーナー名を格納する。データ項目「ｔｏｐｉｃ  ｎａｍｅ」は、コーナーを構成するトピック名を格納する。データ項目「ｃｏｎｔｅｘｔ」は、コーナーを構成するトピックの内容を格納する。データ項目「ｅｎｄ」は、コーナーを構成するトピックの放送終了時刻を格納する。データ項目「ｓｔａｒｔ」は、コーナーを構成するトピックの放送開始時刻を格納する。データ項目「ｗｏｒｄ」は、コーナーを構成するトピックの内容に関連するキーワードを格納する。
【００５２】
図示する例では、データ項目「？ｘｍｌ  ｖｅｒｓｉｏｎ」に格納されている値は「１．０」であり、データ項目「ｅｎｃｏｄｉｎｇ」に格納されている値は「ｕｔｆ−８」である。これは、ｘｍｌのバージョンは「１．０」であり、文字符号化方式として「ｕｔｆ−８」を用いることを示している。また、データ項目「ｐｒｏｇｒａｍ  ｅｎｄ」に格納されている値は「２０１３−０６−１４Ｔ０３：００：００＋０９００」であり、データ項目「ｓｔａｒｔ」に格納されている値は「２０１３−０６−１４Ｔ０２：５２：５３＋０９００」であり、データ項目「ｓｔａｔｉｏｎ」に格納されている値は「Ｚ放送局」であり、データ項目「ｔｉｔｌｅ」に格納されている値は「経済ニュース」である。これは、放送番組名は「経済ニュース」であり、放送している放送局名は「Ｚ放送局」であり、放送開始時刻は「２０１３−０６−１４Ｔ０２：５２：５３＋０９００」であり、放送終了時刻は「２０１３−０６−１４Ｔ０３：００：００＋０９００」であることを示している。
【００５３】
また、データ項目「ｃｏｒｎｅｒ  ｎａｍｅ」に格納されている値は「（オープニング）」である。これは、コーナー名は「（オープニング）」であることを示している。また、データ項目「ｔｏｐｉｃ  ｎａｍｅ」に格納されている値は「世界のマーケット」であり、データ項目「ｃｏｎｔｅｘｔ」に格納されている値は「現在の米１０年国債、米２年国債、ＮＹ原油、ＮＹ金、欧州株式を伝えた。」であり、データ項目「ｅｎｄ」に格納されている値は「２０１３−０６−１４Ｔ０２：５５：３０＋０９００」であり、データ項目「ｓｔａｒｔ」に格納されている値は「２０１３−０６−１４Ｔ０２：５２：５３＋０９００」であり、データ項目「ｗｏｒｄ」に格納されている値は「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とである。
【００５４】
これは、放送番組名「経済ニュース」内のコーナー「（オープニング）」を構成するトピック名は「世界のマーケット」であることを示している。また、コーナー「（オープニング）」を構成するトピック「世界のマーケット」の内容は、「現在の米１０年国債、米２年国債、ＮＹ原油、ＮＹ金、欧州株式を伝えた。」であり、放送開始時刻は「２０１３−０６−１４Ｔ０２：５２：５３＋０９００」であり、放送終了時刻は「２０１３−０６−１４Ｔ０２：５５：３０＋０９００」であり、関連するキーワードは「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とであることを示している。
【００５５】
なお、図６では、コンテンツ内容情報データベースが記憶する１つのコーナーのコンテンツ内容情報のみを描いたが、実際にはコンテンツ内容情報データベースは、全国又は地域で放映された放送番組のコーナー毎にコンテンツ内容情報を記憶している。
【００５６】
次に、情報処理装置１の記憶部１１が記憶している抽出キーワードデータベースについて説明する。図７は、抽出キーワードデータベースの一例を示した概略図である。抽出キーワードデータベースは、「識別情報」と、「キーワード」とのデータ項目を有しており、各データ項目のデータを行毎に対応付けて格納している。
【００５７】
データ項目「識別情報」は、表示装置２を特定する識別情報を格納する。データ項目「キーワード」は、表示装置２で視聴した放送番組を構成するコーナーに関連するキーワードを格納する。図示する例では、行２０１のデータ項目「識別情報」に記憶されている値が「０ＥＢＥ４２Ｃ０」であり、データ項目「キーワード」に記憶されている値が「アメリカ国債、ニューヨーク金先物相場、ニューヨーク原油、米２年国債、ＣＲＢ指数、ＦＴＳＥ１００種総合株価指数、ドイツ株価指数、ＣＡＣ  ４０、ＭＩＣＥＸ」である。これは、識別情報「０ＥＢＥ４２Ｃ０」で特定される表示装置２で視聴した放送番組を構成するコーナーに関連するキーワードは、「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とであることを示している。
【００５８】
次に、識別情報を保持する表示装置２で視聴した放送番組を構成するコーナーの内容に関連する検索条件を抽出する方法について説明する。上述したとおり、番組情報提供装置５は、コンテンツ内容情報データベースを記憶しており、放送番組を構成するコーナーのコンテンツ内容情報を格納している。また、視聴履歴情報サーバ装置３は、視聴履歴データベースを記憶しており、識別情報を保持する表示装置２で視聴した放送番組の視聴履歴を格納している。そこで、情報処理装置１は、コンテンツ内容情報データベースと、視聴履歴データベースとを参照し、識別情報を保持する表示装置２で視聴した放送番組を構成するコーナーに関連するキーワードを抽出する。また、情報処理装置１は、抽出したキーワードを、記憶部１１が記憶する抽出キーワードデータベースに格納する。
【００５９】
例えば、図５に示した例では、識別情報「０ＥＢＥ４２Ｃ０」を保持する表示装置２は、「２０１３年６月１４日２時５０分５０秒」から「２０１３年６月１４日２時５２分５５秒」まで、放送局ＩＤ「１０２４」で特定される放送局が放映した放送番組を視聴したことを示している。また、図６に示した例では、放送局ＩＤ「１０２４」で特定される放送局が、「２０１３年６月１４日２時５０分５０秒」から「２０１３年６月１４日２時５２分５５秒」まで放送した番組を構成するコーナーに関連するキーワードは、「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とである。従って、情報処理装置１は、識別情報「０ＥＢＥ４２Ｃ０」を保持する表示装置２で視聴した放送番組を構成するコーナーの内容に関連する検索条件（キーワード）として、「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とを抽出する。
【００６０】
また、識別情報「０ＥＢＥ４２Ｃ０」を保持する表示装置２が他の放送番組を視聴している場合についても同様に、情報処理装置１は、表示装置２が視聴した他の放送番組を構成するコーナーに関連するキーワードについても抽出する。従って、表示装置２が視聴したコーナーが多くなるほど、情報処理装置１が抽出するキーワードの数も多くなる。
【００６１】
次に、情報処理装置１が、表示装置２に配信する広告を選択する方法について説明する。本実施形態では、情報処理装置１の記憶部１１は、抽出キーワードデータベースを記憶している。選択部１７は、抽出キーワードデータベースが格納しているキーワードに基づいて、表示装置２に対して配信する広告の種類を選択する。
【００６２】
例えば、記憶部１１が図７に示した抽出キーワードデータベースを記憶している場合、選択部１７は、「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とに関連性の高い広告を、識別情報「０ＥＢＥ４２Ｃ０」を保持する表示装置２に対して配信する広告の種類として選択する。
【００６３】
なお、キーワードに関連性の高い広告の選択方法は、従来知られている検索方法を用いてもよい。例えば、選択部１７は、「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とを全て含んだ広告を、表示装置２に対して配信する広告の種類として選択してもよい。また、例えば、選択部１７は、「アメリカ国債」と、「ニューヨーク金先物相場」と、「ニューヨーク原油」と、「米２年国債」と、「ＣＲＢ指数」と、「ＦＴＳＥ１００種総合株価指数」と、「ドイツ株価指数」と、「ＣＡＣ  ４０」と、「ＭＩＣＥＸ」とのいずれかを含む広告を、表示装置２に対して配信する広告の種類として選択してもよい。
【００６４】
このように、情報処理装置１は、表示装置２で視聴した放送番組を構成するコーナーの内容に関連性が高い広告を選択することができる。また、選択部１７は、選択した種類の広告を、コンテンツ配信サーバ４に配信させる。
【００６５】
次に、情報処理装置１の動作手順について説明する。図８は、情報処理装置１の動作手順を示したフローチャートである。
（ステップＳ１０１）識別情報取得部１３は、通信部２４を介して、広告を配信する先の表示装置２から、当該表示装置２が保持する識別情報を取得する。その後、ステップＳ１０２の処理に進む。
【００６６】
（ステップＳ１０２）視聴履歴情報取得部１４は、通信部２４を介して、視聴履歴情報サーバ装置３から視聴履歴情報を取得する。その後、ステップＳ１０３の処理に進む。
（ステップＳ１０３）番組情報取得部１５は、通信部２４を介して、番組情報提供装置５からコンテンツ内容情報を取得する。その後、ステップＳ１０４の処理に進む。
【００６７】
（ステップＳ１０４）抽出部１６は、ステップＳ１０２の処理で取得した視聴履歴情報と、ステップＳ１０３の処理で取得したコンテンツ内容情報とを参照し、ステップＳ１０１の処理で取得した識別情報を保持する表示装置２で視聴した放送番組を構成するコーナーの内容に関連するキーワードを抽出する。キーワードの抽出方法は上述したとおりである。その後、ステップＳ１０５の処理に進む。
【００６８】
（ステップＳ１０５）抽出部１６は、ステップＳ１０４の処理で抽出したキーワードを記憶部１１が記憶する抽出キーワードデータベースに格納する。その後、ステップＳ１０６の処理に進む。
（ステップＳ１０６）選択部１７は、ステップＳ１０５の処理で抽出キーワードデータベースに格納されたキーワードに基づいて、表示装置２に配信する広告を選択する。広告の選択方法は上述したとおりである。その後、ステップＳ１０７の処理に進む。
【００６９】
（ステップＳ１０７）選択部１７は、選択した種類の広告を配信させる配信指示を、コンテンツ配信サーバ４に対して送信する。その後、処理を終了する。なお、コンテンツ配信サーバ４は、配信指示を受信した場合、受信した配信指示に基づいて、情報処理装置１が選択した広告を表示装置２に対して配信する。
【００７０】
上述したとおり、本実施形態によれば、情報処理装置１は、広告を配信する先の表示装置２から、当該表示装置２が保持する識別情報を取得する。また、情報処理装置１は、識別情報を保持する表示装置２で視聴した放送番組の履歴を示す視聴履歴情報を取得する。また、情報処理装置１は、取得した視聴履歴情報と、放送番組を構成するコーナー毎に放送番組の内容を記述したコンテンツ内容情報とを参照し、広告を配信する先の表示装置２で視聴した放送番組を構成するコーナーの内容に関連するキーワードを抽出する。これにより、放送番組の一部のみを視聴する場合においても、例えば配信する広告を選択するために用いる最適なキーワードを抽出することができる。また、情報処理装置１は、抽出したキーワードに基づいて、表示装置２に配信する広告の種類を選択することができる。
【００７１】
（第２の実施形態）
次に、本発明の第２の実施形態について説明する。本実施形態と第１の実施形態とで異なる点は、ある識別情報を保持する表示装置２に対するキーワードを抽出する際に、他の識別情報を保持する表示装置２のキーワードを用いて絞り込む点である。
【００７２】
本実施形態における情報処理システムＳ１の構成は、第１の実施形態における情報処理システムＳ１の構成と同様である。また、情報処理装置１と、表示装置２と、視聴履歴情報サーバ装置３と、コンテンツ配信サーバ４と、番組情報提供装置５の構成は、第１の実施形態における各装置の構成と同様である。
【００７３】
次に、識別情報を保持する表示装置２で視聴した放送番組を構成するコーナーの内容に関連するキーワードを抽出する方法について説明する。図９は、第１の実施形態におけるキーワードの抽出方法を用いて、識別情報毎に抽出したキーワードの一例を示した概略図である。
【００７４】
図示する例では、識別情報「１６１８０３６Ａ」で特定される表示装置２で視聴した放送番組を構成するコーナーに関連するキーワードは、「Ａ党」と、「Ｂ党」と、「Ｃプロ野球チーム」と、「Ｄプロ野球チーム」と、「世界ミニマム級タイトルマッチ」と、「Ｅ競馬場」と、「Ｆ総選挙」と、「東京駅」と、「Ｇ競馬場」とである。
【００７５】
また、図示する例では、識別情報「９５６ＦＣＢ９Ｄ」で特定される表示装置２で視聴した放送番組を構成するコーナーに関連するキーワードは、「Ａ党」と、「Ｂ党」と、「Ｆ総選挙」と、「Ｈ事件」と、「Ｉ地震」と、「Ｊ内閣」とである。
【００７６】
また、図示する例では、識別情報「３ＦＤ４１４０Ａ」で特定される表示装置２で視聴した放送番組を構成するコーナーに関連するキーワードは、「Ｆ総選挙」と、「Ｋ大賞」と、「Ａ党」と、「Ｂ党」と、「Ｌ島」とである。
【００７７】
上述した例では、各識別情報で共通のキーワードが存在する。各識別情報で共通のキーワードは、一般的なキーワードである。また、特定の識別情報のみで抽出されるキーワードは、その識別情報を保持する表示装置２のみで視聴されたコーナーに関連するキーワードである。そこで、本実施形態では、広告を配信する先の表示装置２で視聴した放送番組を構成するコーナーの内容に関連するキーワードを抽出する際には、第１の実施形態の方法で抽出したキーワードのうち、広告の配信対象である表示装置２で特に視聴された放送番組のコーナーに関連するキーワードに絞り込む。
【００７８】
すなわち抽出部１６は、識別情報取得部１３が取得した識別情報を保持する表示装置２で視聴したコーナーに関連するキーワードとして出現する頻度が高いキーワードのうち、識別情報取得部１３が取得した識別情報とは異なる識別情報を保持する表示装置２で視聴したコーナーに関連するキーワードとして出現する頻度が低いキーワードを、広告の配信対象である表示装置２で特に視聴された放送番組のコーナーに関連するキーワードとして絞り込む。
【００７９】
以下、第１の実施形態の方法で抽出したキーワードのうち、広告の配信対象である表示装置２で特に視聴された放送番組のコーナーに関連するキーワードに絞り込む方法について説明する。本実施形態ではＴＦ−ＩＤＦ法を用いてキーワードを絞り込む。
【００８０】
ＴＦ（Ｔｅｒｍ  Ｆｒｅｑｕｅｎｃｙ）は、あるキーワードが、特定の識別情報を保持する表示装置２に対するキーワードとして出現する頻度である。ＤＦ（ｄｏｃｕｍｅｎｔ  ｆｒｅｑｕｅｎｃｙ）は、あるキーワードが、複数の表示装置２に対するキーワードとして出現する頻度である。ＩＤＦ（ｉｎｖｅｒｓｅ  ｄｏｃｕｍｅｎｔ  ｆｒｅｑｕｅｎｃｙ）はｌｏｇ（Ｎ／ＤＦ）で算出することができる（Ｎは全ての識別情報の数）。ＤＦが大きいほど、ＩＤＦの値は小さくなる。また、特定の識別情報を保持する表示装置２に対するキーワードのみに現れるなど出現の希少性が高いほど、ＩＤＦの値は大きい。ＴＦ−ＩＤＦは、ＴＦとＩＤＦとの積である。ＴＦ−ＩＤＦの値は、特定の識別情報を保持する表示装置２に対するキーワードに多く出現し、他の識別情報を保持する表示装置２に対するキーワードにはあまり出現しないときに大きくなる。
【００８１】
抽出部１６は、第１の実施形態の方法で抽出したキーワードのＴＦ−ＩＤＦの値を算出する。そして、抽出部１６は、ＴＦ−ＩＤＦの値が所定の閾値以上のキーワードを、広告の配信対象である表示装置２で特に視聴された放送番組のコーナーに関連するキーワードとして抽出する。また、抽出部１６は、抽出したキーワードを、記憶部１１が記憶する抽出キーワードデータベースに格納する。
【００８２】
なお、キーワードの絞り込み方法は上記の方法に限らない。例えば、第１の実施形態の方法で抽出したキーワードのうち、ＴＦ−ＩＤＦの値が大きい順に所定の個数のキーワードを、広告の配信対象である表示装置２で特に視聴された放送番組のコーナーに関連するキーワードとして抽出してもよい。
【００８３】
図１０は、本実施形態において、広告の配信対象である表示装置２で特に視聴された放送番組のコーナーに関連するキーワードとして抽出したキーワードの一例を示した概略図である。
【００８４】
図示する例では、識別情報「１６１８０３６Ａ」で特定される表示装置２で視聴した放送番組を構成するコーナーに関連するキーワードとして、「Ｃプロ野球チーム」と、「Ｄプロ野球チーム」と、「世界ミニマム級タイトルマッチ」と、「Ｅ競馬場」と、「東京駅」と、「Ｇ競馬場」とが示されている。このように、図９に示したキーワードから、広告の配信対象である識別情報「１６１８０３６Ａ」を保持している表示装置２で特に視聴された放送番組のコーナーに関連するキーワードのみが抽出されている。
【００８５】
上述したとおり、本実施形態によれば、広告を配信する先の表示装置２で視聴した放送番組を構成するコーナーの内容に関連するキーワードを抽出する際には、第１の実施形態の方法で抽出したキーワードのうち、広告の配信対象である表示装置２で特に視聴された放送番組のコーナーに関連するキーワードに絞り込む。これにより、より視聴内容に対応した最適なキーワードを抽出することができる。また、情報処理装置１は、抽出したキーワードに基づいて、表示装置２に配信する広告の種類を選択することができる。
【００８６】
（第３の実施形態）
次に、本発明の第３の実施形態について説明する。本実施形態における情報処理システムＳ１の構成は、第２の実施形態における情報処理システムＳ１の構成と同様である。また、情報処理装置１と、表示装置２と、視聴履歴情報サーバ装置３と、コンテンツ配信サーバ４と、番組情報提供装置５の構成は、第２の実施形態における各装置の構成と同様である。
【００８７】
本実施形態と第２の実施形態とで異なる点は、第２の実施形態で抽出したキーワードに関連するキーワードについても、広告を配信する先の表示装置２で視聴した放送番組を構成するコーナーの内容に関連するキーワードとして抽出する点である。例えば、第２の実施形態の方法では、第１の実施形態の方法で抽出したキーワードのうち、広告の配信対象である表示装置２で特に視聴された放送番組のコーナーに関連するキーワードに絞り込む。この場合、キーワードの数が少なくなる場合がある。
【００８８】
そこで、本実施形態では、絞り込んだキーワードに関連するキーワードを、表示装置２で視聴した放送番組を構成するコーナーの内容に関連するキーワードとして抽出する。例えば、抽出部１６は、第２の実施形態の方法で絞り込んだキーワードについて連想検索を行う。そして、抽出部１６は、検索結果として得られたキーワードを、表示装置２で視聴した放送番組を構成するコーナーの内容に関連するキーワードとして抽出する。また、例えば、抽出部１６は、類語辞典（シソーラス）を参照し、絞り込んだキーワードに関連付けられている語句を検索する。そして、抽出部１６は、検索結果として得られた語句を、表示装置２で視聴した放送番組を構成するコーナーの内容に関連するキーワードとして抽出する。
【００８９】
図１１は、本実施形態において、図１０に示したキーワードに関連するキーワードを、表示装置２で視聴した放送番組を構成するコーナーの内容に関連するキーワードとして抽出したキーワードの一例を示した概略図である。
【００９０】
図示する例では、識別情報「１６１８０３６Ａ」で特定される表示装置２で視聴した放送番組を構成するコーナーに関連するキーワードとして、「Ｃプロ野球チーム」と、「Ｍ球場」と、「Ｎ投手」と、「Ｄプロ野球チーム」と、「Ｏ球場」と、「Ｐ野手」と、「世界ミニマム級タイトルマッチ」と、「ボクシング」と、「級」と、「フライ」と、「フェザー」と、「Ｅ競馬場」と、「馬」と、「優勝」と、「歴代」と、「歴史」と、「東京駅」と、「改札」と、「地下街」と、「Ｇ競馬場」と、「競馬」と、「場」と、「騎手」とが示されている。
【００９１】
図示する例では、抽出部１６は、「Ｃプロ野球チーム」に関連するキーワードとして、「Ｍ球場」と、「Ｎ投手」とを抽出している。また、抽出部１６は、「Ｄプロ野球チーム」に関連するキーワードとして、「Ｏ球場」と、「Ｐ野手」とを抽出している。また、抽出部１６は、「世界ミニマム級タイトルマッチ」に関連するキーワードとして、「ボクシング」と、「級」と、「フライ」と、「フェザー」とを抽出している。また、抽出部１６は、「Ｅ競馬場」に関連するキーワードとして、「馬」と、「優勝」と、「歴代」と、「歴史」とを抽出している。また、「東京駅」に関連するキーワードとして、「改札」と、「地下街」とを抽出している。また、「Ｇ競馬場」に関連するキーワードとして、「競馬」と、「場」と、「騎手」とを抽出している。
【００９２】
上述したとおり、情報処理装置１は、絞り込んだキーワードに関連するキーワードを、表示装置２で視聴した放送番組を構成するコーナーの内容に関連するキーワードとして抽出する。従って、情報処理装置１は、表示装置２で視聴した放送番組を構成するコーナーの内容に関連するキーワードとして、より多くのキーワードを抽出することができる。また、情報処理装置１は、抽出したキーワードに基づいて、表示装置２に配信する広告の種類を選択することができる。
【００９３】
（第４の実施形態）
次に、本発明の第４の実施形態について説明する。本実施形態における情報処理システムＳ１の構成は、第１の実施形態における情報処理システムＳ１の構成と同様である。また、情報処理装置１と、表示装置２と、視聴履歴情報サーバ装置３と、コンテンツ配信サーバ４と、番組情報提供装置５の構成は、第１の実施形態における各装置の構成と同様である。
【００９４】
本実施形態と第１の実施形態とで異なる点は、本実施形態では、所定の時間以上視聴したコーナーに関連するキーワードのみを、識別情報を保持する表示装置２で視聴した放送番組を構成するコーナーの内容に関連するキーワードとして抽出する。
【００９５】
例えば、視聴者は、視聴する放送番組を決定する前に、数秒から数十秒間毎にチャンネルを切り替えて、各チャンネルで放送されている放送番組を視聴することがある。このときに視聴された放送番組は、視聴者が興味のある放送番組とは限らない。そこで、抽出部１６は、所定の時間以上視聴したコーナーに関連するキーワードのみを、識別情報を保持する表示装置２で視聴した放送番組を構成するコーナーの内容に関連するキーワードとして抽出する。これにより、情報処理装置１は、例えば配信する広告を選択するために用いるキーワードをより最適に抽出することができる。また、情報処理装置１は、抽出したキーワードに基づいて、表示装置２に配信する広告の種類を選択することができる。なお、所定の時間は、予め決められていてもよく、任意に設定できてもよい。
【００９６】
（第５の実施形態）
次に、本発明の第５の実施形態について説明する。本実施形態における情報処理システムＳ１の構成は、第１の実施形態における情報処理システムＳ１の構成と同様である。また、情報処理装置１と、表示装置２と、視聴履歴情報サーバ装置３と、コンテンツ配信サーバ４と、番組情報提供装置５の構成は、第１の実施形態における各装置の構成と同様である。
【００９７】
本実施形態と第１の実施形態とで異なる点は、本実施形態では、抽出部１６は、出現回数が多いキーワードのみを、識別情報を保持する表示装置２で視聴した放送番組を構成するコーナーの内容に関連するキーワードとして抽出する。
【００９８】
例えば、視聴履歴が多数存在する場合、視聴履歴に基づいて抽出したキーワードが膨大な数となる。また、例えば、同様の内容の放送番組のコーナーを複数回視聴した場合、視聴履歴に基づいて抽出したキーワードには、同じキーワードが複数含まれる。従って、含まれるキーワードの数が多い場合、視聴者が興味のあるコーナーに関連するキーワードである可能性が高い。
【００９９】
そこで、本実施形態では、所定の回数以上出現したキーワードのみを、識別情報を保持する表示装置２で視聴した放送番組を構成するコーナーの内容に関連するキーワードとして抽出する。これにより、情報処理装置１は、例えば配信する広告を選択するために用いるキーワードをより最適に抽出することができる。また、情報処理装置１は、抽出したキーワードに基づいて、表示装置２に配信する広告の種類を選択することができる。なお、所定の回数は、予め決められていてもよく、任意に設定できてもよい。
【０１００】
（第６の実施形態）
次に、本発明の第６の実施形態について説明する。本実施形態における情報処理システムＳ１の構成は、第５の実施形態における情報処理システムＳ１の構成と同様である。また、情報処理装置１と、表示装置２と、視聴履歴情報サーバ装置３と、コンテンツ配信サーバ４と、番組情報提供装置５の構成は、第５の実施形態における各装置の構成と同様である。
【０１０１】
本実施形態と第５の実施形態とで異なる点は、本実施形態では、視聴時間が長いコーナーに関連するキーワードの重み付けを高くし、視聴時間が短いコーナーに関連するキーワードの重み付けを低くする点である。
【０１０２】
例えば、放送時間が短いコーナーを１回視聴した場合であっても、放送時間が長いコーナーを１回視聴した場合であっても、キーワードの出現回数はどちらも１回である。また、コーナーの最初から最後まで視聴した場合であっても、コーナーの途中のみを視聴した場合であっても、キーワードの出現回数はどちらも１回である。しかしながら、視聴時間が長いほど、視聴者が興味のあるコーナーである可能性が高い。
【０１０３】
そこで、本実施形態では、コーナーの視聴時間に応じて、キーワードの出現回数の重み付けを変更する。具体的には、視聴時間が長いコーナーに関連するキーワードに対しては、出現回数の重み付けを高くする。また、視聴時間が短いコーナーに関連するキーワードに対しては、出現回数の重み付けを低くする。
【０１０４】
そして、所定の回数以上出現したキーワードのみを、識別情報を保持する表示装置２で視聴した放送番組を構成するコーナーの内容に関連するキーワードとして抽出する。これにより、情報処理装置１は、例えば配信する広告を選択するために用いるキーワードをより最適に抽出することができる。また、情報処理装置１は、抽出したキーワードに基づいて、表示装置２に配信する広告の種類を選択することができる。なお、所定の回数は、予め決められていてもよく、任意に設定できてもよい。
【０１０５】
なお、上述した実施形態における情報処理装置１と、表示装置２と、視聴履歴情報サーバ装置３と、コンテンツ配信サーバ４と、番組情報提供装置５とが備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１０６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０７】
以上、本発明の第１の実施形態〜第６の実施形態について説明したが、本発明は、上記実施形態に限定されるものではなく、本発明の趣旨を逸脱しない範囲において種々の変更を加えることが可能である。
【０１０８】
例えば、上述した例では、表示装置２が表示するコンテンツの例として、放送番組の例を用いて説明したが、これに限らず、どのようなコンテンツでもよい。また、上述した例では、コンテンツ配信サーバ４が配信するコンテンツ（第２のコンテンツ）の例として、広告の例を用いて説明したが、これに限らず、どのようなコンテンツでもよい。
【符号の説明】
【０１０９】
１・・・情報処理装置、２・・・表示装置、３・・・視聴履歴情報サーバ装置、４・・・コンテンツ配信サーバ、５・・・番組情報提供装置、１１，２６，４３・・・記憶部、１２，２４，４１・・・通信部、１３・・・識別情報取得部、１４・・・視聴履歴情報取得部、１５・・・番組情報取得部、１６・・・抽出部、１７・・・選択部、２１・・・操作入力部、２２・・・表示部、２３・・・映像受信部、４２・・・視聴履歴情報受信制御部、４４・・・視聴履歴情報送信制御部、２５１・・・操作処理部、２５２・・・コンテンツ受信部、２５３・・・表示制御部、Ｓ１・・・情報処理システム
【図１】
2015143947.tif 000003
【図２】
2015143947.tif 000004
【図３】
2015143947.tif 000005
【図４】
2015143947.tif 000006
【図５】
2015143947.tif 000007
【図６】
2015143947.tif 000008
【図７】
2015143947.tif 000009
【図８】
2015143947.tif 000010
【図９】
2015143947.tif 000011
【図１０】
2015143947.tif 000012
【図１１】
2015143947.tif 000013